(57)【要約】【課題】降雨を積極的にブロック舗装面から下層に浸透させ、かつその下層部に一時的に貯留する手段の提案にある。【解決手段】透水孔を有する単位部材あるいは単位部材を敷き設することで当該単位部材間に透水孔を形成する単位部材を敷き設した第一層と、当該第一層の下層およびに前記透水孔部分とを合わせた雨水の一時貯留層からなる第二層からなり、第二層部分に雨水を一時貯留することを特徴とする貯水構造物である。透水孔を有する単位部材あるいは単位部材を敷き設することで当該単位部材間に透水孔を形成する単位部材を敷き設した第一層、第一層の下部および前記透水孔部分とを合わせた雨水の一時貯留層からなる第二層および最下層に設けられた植生を育成する土壌からなる第三層からなり、第二層部分に雨水を一時貯留することを特徴とする貯水構造物である。【選択図】図２
2004324128.tif 000002
【特許請求の範囲】
【請求項１】
透水孔を有する単位部材あるいは単位部材を敷き設することで当該単位部材間に透水孔を形成する単位部材を敷き設した第一層と、当該第一層の下層および前記透水孔部分とを合わせた雨水の一時貯留層からなる第二層からなり、第二層部分に雨水を一時貯留することを特徴とする貯水構造物。
【請求項２】
透水孔を有する単位部材あるいは単位部材を敷き設することで当該単位部材間に透水孔を形成する単位部材を敷き設した第一層、第一層の下部および前記透水孔部分とを合わせた雨水の一時貯留層からなる第二層および最下層に設けられた植生を育成する土壌からなる第三層からなり、第二層部分に雨水を一時貯留することを特徴とする貯水構造物。
【発明の詳細な説明】
【０００１】
【発明の属する技術分野】
本発明は、降雨時一時的に水を貯留する流出抑制用の貯留・浸透施設を兼用する舗装用ブロック技術に属する。
【０００２】
【従来の技術】
雨水の流出抑制、ヒートアイランド現象の緩和、地下水の涵養等の目的で透水性のアスファルト舗装、インターロッキング舗装が行われている。
これらの舗装は降雨量の小さい場合には有効であるが、多量の降雨時には浸透することなく舗装表面を流出する。
【０００３】
【発明が解決しようとする課題】
本発明は、降雨を積極的にブロック舗装面から下層に浸透させ、かつその下層部に一時的に貯留する手段の提案にある。
【０００４】
【課題を解決するための手段】
本第一の発明は、透水孔を有する単位部材あるいは単位部材を敷き設することで当該単位部材間に透水孔を形成する単位部材を敷き設した第一層と、当該第一層の下層およびに前記透水孔部分とを合わせた雨水の一時貯留層からなる第二層からなり、第二層部分に雨水を一時貯留することを特徴とする貯水構造物であり、
本第二の発明は、透水孔を有する単位部材あるいは単位部材を敷き設することで当該単位部材間に透水孔を形成する単位部材を敷き設した第一層、第一層の下部および前記透水孔部分とを合わせた雨水の一時貯留層からなる第二層および最下層に設けられた植生を育成する土壌からなる第三層からなり、第二層部分に雨水を一時貯留することを特徴とする貯水構造物である。
【０００５】
【発明の実施の形態】
以下本発明を図を用いて、より詳細に説明する。
【０００６】
図１は透水孔を有する単位部材あるいは単位部材を敷き設することで当該単位部材間に透水孔を形成する単位部材の例を示す図である。
図１ａは、透水孔を有する単位部材を示している。正方形の枠内に４個のブロックを嵌めこむためのブロック部が設けられ、ブロック間及びその中心に透水部を設けた舗装ブロックである。図では、舗装ブロック全体がその壁面に底に向かって小さくなるテーパが設けられかつ、各個別のブロック部にも同様のテーパが設けられ入れ子状態に積み重ね可能な形状となっているが、壁面が垂直な壁であっても本発明の目的を達成することができる。単位部材の材質は、特に問わないが射出成形可能な樹脂製品であることが取り扱いの軽便さ、製造しやすさから好ましい。
【０００７】
図１ｂは、同一方向に突き合わせてその単位部材間に透水孔を形成する単位部材を示している。なお、壁面に設けられたテーパについての説明は、図１ａにしめす単位部材と同様である。
また、この形状の単位部材にその内部に透水孔部を設け、図４ｄに示すように組み合わせてもよい。
【０００８】
木、石、レンガ等を単位部材の枠内に設けたブロック部に嵌め込んでもよく、ブロック部にコンクリートなど流動し固化する物質を流し込んでブロック化することでもよい。
図１ｃは、ブロック部を持たない、複数の透水孔を有する単位部材を示している。
【０００９】
単位部材間の接続は必ずしも必要はなく、所定の敷地内に配設すればよい。
単位部材相互を接続する必要がある場合は、単位部材の側面に既存の方法によるオスメスの継ぎ手を設けることで可能となる。相接する２つの壁面にオス継ぎ手、他の２つの壁面にメス継ぎ手を設けることで左右に接続可能となる。相接する２つの壁面が相対向する２つの壁面であっても同様である。
【００１０】
図２は、上記単位部材を平面的に配列し、その下層部と単位部材の透水孔部を雨水の一時貯留層とした例を示している。
図２ａは、ブロック部を有する単位部材をもちいた例であり、図２ｂは、ブロック部を持たない透水孔部のみからなる単位部材を用いた例を示している。
雨水は透水孔部から下層の雨水の一時貯留層に浸透し、一時貯留される。
【００１１】
図３は、上記単位部材を平面的に配列し、その下層部と単位部材の透水孔部を雨水の一時貯留層とし、さらにその下層に芝生などの植生土壌を設けた例を示している。植性土壌は、対象とする植生に応じて客土を行えばよい。
図３ａは、ブロック部を有する単位部材をもちいた例であり、図３ｂは、ブロック部を持たない透水孔部のみからなる単位部材を用いた例を示している。
雨水は透水孔部から下層の雨水の一時貯留層に浸透し、一時貯留される。と同時に、単位部材の透水部から芝生等が生え、緑と一時貯留を兼ねた効果を果たすものである。
【００１２】
雨水の一時貯留層部は、砕石、砂利あるいは廃タイヤ等のゴムチップなどを敷きつめることで構成される。砕石、砂利あるいは廃タイヤ等のゴムチップの粒度、雨水の一時貯留層部の厚みなど、要求される一時貯留量、雨水の浸透速度、ブロック部にかかる荷重等を考慮して適宜決めることができる。
【００１３】
本貯水構造物の施工は、芝生などの育成土壌を最下層に設け、必要に応じて肥料等を施し、種を播く。その上に砂利や砕石による砕石層を設けその上に単位部材を配置する。ブロック部のある単位部材については、所要のブロックを嵌めこみ、あるいはコンクリートを流し込んで形成する。その後透水孔部へ砂利あるいは砕石を充填する。
上述したように、砕石層の厚さは、一時貯留を必要とする量を考慮して定めることができる。また芝生等の育成を考えるならば、芝生の生育を疎外しない程度の厚みとすることができる。
【００１４】
【発明の効果】
本発明は、透水孔部を有する単位部材を敷き設し、必要に応じ単位部材内に舗装用ブロックを挿入し、その下層に砕石部を設けたため、その砕石部を雨水の一時貯留部として使用することができる。また、砕石層部の下層に芝生の育成用土壌を設けることで雨水の一時貯留と、緑化を実現できる。
【図面の簡単な説明】
【図１】は、本発明の貯水構造物を構成する単位部材の例である。
【図２】は、本発明の貯水構造物の一例を示す断面概念図である。
【図３】は、本発明の貯水構造物の一例を示す他の断面概念図である。
【図４】は、本発明の貯水構造物の一例を示す平面概念図である。
【符号の説明】
１  単位部材
２  透水孔部
３  ブロック部
４  雨の一時貯留層
【図１】
2004324128.tif 000003
【図２】
2004324128.tif 000004
【図３】
2004324128.tif 000005
【図４】
2004324128.tif 000006